(57)【要約】【課題】シリンダー錠を簡単に交換（或いは脱着）することができること。【解決手段】キースイッチ２Ａを有するスイッチ取付け板１Ａと、このスイッチ取付け板１Ａの前方収納ケース９内の案内部材に案内された状態で該前方収納ケースの収納部３１に組み込まれたリング状の回転係合板５０と、この回転係合板５０と係合する駆動歯車４１を内端部に有しかつスイッチ取付け板１Ａに設けられた操作杆４０と、前記前方収納ケース９に取付け基板１７Ａが固定されたシリンダー錠用嵌合支持部材６０と、この嵌合支持部材の内部空間から嵌挿かれ、かつ、挿入側の後端部に前記回転係合板５０と係脱可能な係合突起４３を有するシリンダー錠１０Ａとから成るキースイッチ装置に於けるシリンダー錠の取付け構造。【選択図】　図１
2004071204.tif 000002
【特許請求の範囲】
【請求項１】
キースイッチ２Ａを有するスイッチ取付け板１Ａと、このスイッチ取付け板１Ａの前方収納ケース９内の案内部材に案内された状態で該前方収納ケースの収納部３１に組み込まれたリング状の回転係合板５０と、この回転係合板５０と係合する駆動歯車４１を内端部に有しかつスイッチ取付け板１Ａに設けられた操作杆４０と、前記前方収納ケース９に取付け基板１７Ａが固定されたシリンダー錠用嵌合支持部材６０と、この嵌合支持部材の内部空間から嵌挿かれ、かつ、挿入側の後端部に前記回転係合板５０と係脱可能な係合突起４３を有するシリンダー錠１０Ａとから成るキースイッチ装置に於けるシリンダー錠の取付け構造。
【請求項２】
請求項１に於いて、回転係合板５０は、外周壁の周方向の一部分に操作杆４０の小駆動歯車と噛合う係合歯５１が形成され、また内周壁の適宜部位には、シリンダー錠１０Ａの後端部の係合突起４３が通り抜けるシリンダー錠用逃し用切欠部５２，５２が形成されていることを特徴とするキースイッチ装置に於けるシリンダー錠の取付け構造。
【請求項３】
請求項１に於いて、回転係合板５０は、前方ケース９の垂直支持板部９ａに設けられた従動部材４Ａの同心円上に位置する複数個のガイドローラ３５に案内されていることを特徴とするキースイッチ装置に於けるシリンダー錠の取付け構造。
【請求項４】
請求項１に於いて、回転係合板５０は、前方ケース９の垂直支持板部９ａに設けられた水平係合ピン３７に弧状案内長孔５４を介して案内されていることを特徴とするキースイッチ装置に於けるシリンダー錠の取付け構造。
【請求項５】
請求項１に於いて、回転係合板５０は、垂直支持板部９ａに設けられた従動部材４Ａの同心円上に位置する複数個の短支持棒３６に摺動自在に支持されていることを特徴とするキースイッチ装置に於けるシリンダー錠の取付け構造。
【請求項６】
請求項１に於いて、取付け基板１２Ａの背面には前方収納ケース９の位置決め用嵌合小孔３３に嵌合する突起ピン６１が設けられていること特徴とするキースイッチ装置に於けるシリンダー錠の取付け構造。
【請求項７】
請求項１に於いて、嵌合支持部材６０は、固着具８Ａを介してスイッチ取付け板１Ａの前方収納ケース９に固定される取付け基板１２Ａと、この取付け基板の前面から突出する円弧状支持部６４と、この支持部に設けられ、かつ、シリンダー錠１０Ａの係合突起４３が通ることができる案内隙間６７と、前記支持部の内部空間６８と連通するように前記取付け基板１２Ａに形成された嵌合孔６２とを有していることを特徴とするキースイッチ装置に於けるシリンダー錠の取付け構造。
【請求項８】
請求項７に於いて、円弧状支持部６４の外周壁に調整ナット１８Ａが螺合するオネジ部１６Ａが形成されていることを特徴とするキースイッチ装置に於けるシリンダー錠の取付け構造。
【発明の詳細な説明】
【０００１】
【発明の属する技術分野】
本発明は、所定のキーを持っている人のみが、電気的機能のＯＮ／ＯＦＦをできるキースイッチ装置に於けるシリンダー錠の取付け構造に関する。
【０００２】
【従来の技術】
本発明のキースイッチ装置は、マンションの共用玄関の自動ドア、エレベータの昇降動を管理する共用電子機器の管理ドア、警報装置の開閉扉などに取り付けられる。この種のキースイッチ装置には、普通一般の鍵（板鍵）の操作によって作動するシリンダー錠がキースイッチを備えた枠状のスイッチ取付け板に固定的に装着されている。
【０００３】
図８及び図９は、本発明と対比するためのキースイッチ装置Ｘの従来例を示す。１は枠状或いはボックス状のスイッチ取付け板で、このスイッチ取付け板１の内部には、単数又は複数本の支持棒を介してキースイッチ（マイクロスイッチ）２が設けられている。キースイッチ２は、アクチュエータ（可動片）や複数本のリード線３を有する。４はスイッチ取付け板１の前壁１ｃの嵌合孔に回動可能に設けられキースイッチＯＮ，ＯＦＦ用の円板状従動部材である（図９参照）。従動部材４は、中央部に凹所５を有すると共に、この凹所５を基準としてその前面側に「＋状」の係合溝６が形成されている。従動部材４の内端部には図示しないアクチュエータ用の作動板がバネ部材のバネ力に抗して協働回転できるように一体的に設けられている。
【０００４】
したがって、従動部材４が回転すると、作動板が協働回転し、その結果、アクチュエータを介してキースイッチ（マイクロスイッチ）２がＯＮ，ＯＦＦする。７は前記スイッチ取付け板１の前壁１ｃの四隅にそれぞれ形成された固着具８用のメネジ部である。
【０００５】
一方、１０はスイッチ取付け板１の前壁１ｃに前記固着具８を介して取り外し可能に装着されるシリンダー錠である。このシリンダー錠１０は、ピンタンブラー等を内蔵するシリンダー錠本体１１と、このシリンダー錠本体１１の後端部に一体的に設けられた矩形状の取付け基板１２とから成る。
【０００６】
シリンダー錠本体１１は、板鍵Ｋを差し込むことができる鍵孔１３を有するロータ１４を軸方向の中央部に備えている。このロータ１４の後端部には従動部材４と係合する図示しない係合体が固定されている。またシリンダー錠本体１１は、一番外側に位置する外筒体１５を備え、該外筒体１５の外周壁にはオネジ部１６が形成されている。一方、取付け基板１２の四隅にはメネジ部７にそれぞれ対応する固着具８用貫通小孔１７が形成されている。
【０００７】
次に１８はシリンダー錠本体１１のオネジ部１６と螺合する調整ナット（六角ナット）、１９はパッキンの機能を有するリング、２０は内周縁部の適宜部位に半径方向の係合突起２１を有する嵌合リンク、２２はシリンダー錠本体１１のオネジ部１６の前端部に螺着するリング状化粧体、そして、２３はシリンダー錠本体１１が入り込む円形状の切込み孔２４を有する取付け対象板（扉、パネルなど）で、前記切込み孔２４の適宜部位には前記係合突起２１が入り込む小被係合部２５が半径方向に形成されている。
【０００８】
上記構成に於いて、シリンダー錠１０を交換する場合には、シリンダー錠本体１１そのものを取り外すことができない。その理由は、シリンダー錠本体１１と取付け基板１２とは一体に成形されているからである。また、シリンダー錠１０はスイッチ取付け板１の前壁１ｃに複数本の固着具８を介して固定され、しかも、キースイッチ装置Ｘは、次に説明するように取付け対象板２３に複数の取付け手順を経た後に固定的に取り付けられているからである。
【０００９】
まず、化粧体２２をシリンダー錠本体１１から外しておいて、パネル状の取付け対象板２３の厚みに応じてシリンダー錠本体１１に螺合している調整ナット１８を回す。次にリング１９及び嵌合リング２０をシリンダー錠本体１１のねじもと（取付け基板）方向へ移動させる。次に取付け対象板２３の内側よりシリンダー錠本体１１の先端部を切込み孔２４に挿入し、外側より化粧体２２を前記先端部に螺合するようにねじ込む。この時嵌合リング２０の係合突起２１を取付け対象板２３の小被係合部２５に係合させる。しかる後に内側より前記調整ナット１８を締め付け、キースイッチ装置Ｘを取付け対象板２３に確実に固定する。
【００１０】
なお、キースイッチ装置Ｘの従来例としては、シリンダー錠の外筒体の外周壁にオネジを形成し、一方、スイッチ本体の取付け前面板にリング状のメネジ部形成し、シリンダー錠を前記取付け前面板に螺着した後に、スイッチ本体の垂直板に螺合する操作螺杆を操作し、スイッチ本体側の支持部材に揺動可能に設けた係合爪体の爪部を前記外筒体に形成した切欠状の係合部に係止させる構造のものがある。
【００１１】
しかし、この実施例の場合には、シリンダー錠に切欠状係合部を形成しなければならないと共に、シリンダー錠の固定構造が複雑であるという問題点を有している。
【００１２】
【発明が解決しようとする課題】
従来のキースイッチ装置Ｘは、前述したように、シリンダー錠１０のシリンダー錠本体１１と取付け基板１２は一体に成形されている、化粧体がシリンダー錠本体に螺合されている、シリンダー錠本体１１を取付け対象板２３から抜き取る必要がある等の理由から、シリンダー錠１０そのものを交換する場合には、化粧体２２をシリンダー錠本体１１から取り外し、次に調整ナット１８を緩めるなどし、次いでシリンダー錠本体１１を取付け対象板２３から引抜き、次いで複数本の固着具８を緩めるなどしなければ、シリンダー錠１０をスイッチ取付け板１の前壁１ｃから外すことができなかった。
【００１３】
そこで、本発明の目的は、調整ナット，シリンダー錠用嵌合支持部材などを取り外さなくても、取付け対象板の内側から操作杆を操作するだけで、回転係合板をスムースに回転させてシリンダー錠をスイッチ取付け板から簡単に取り外し、又はシリンダー錠をスイッチ取付け板に前記シリンダー錠用嵌合支持部材を介して固定的に添設することができることである。また前記操作杆を操作すると、回転係合板が安定的に回転することである。
【００１４】
【課題を解決するための手段】
本発明のキースイッチ装置に於けるシリンダー錠の取付け構造は、キースイッチ２Ａを有するスイッチ取付け板１Ａと、このスイッチ取付け板１Ａの前方収納ケース（部）９内の案内部材に案内された状態で該前方収納ケースの収納部３１に組み込まれたリング状の回転係合板５０と、この回転係合板５０と係合する駆動歯車４１を内端部に有しかつスイッチ取付け板１Ａに設けられた操作杆４０と、前記前方収納ケース（部）９に取付け基板１７Ａが固定されたシリンダー錠用嵌合支持部材６０と、この嵌合支持部材の内部空間から嵌挿かれ、かつ、挿入側の後端部に前記回転係合板５０と係脱可能な係合突起４３を有するシリンダー錠１０Ａとから成る。
【００１５】
ここで「キースイッチ」とは、所定の鍵をシリンダー錠の鍵孔に差込み、ロータを回転させると、シリンダー錠の後方に固定的に配設されたスイッチ取付け板１ＡのスイッチがＯＮ／ＯＦＦとなり、これにより信号を出力することができるものを言う。
【００１６】
【発明の実施の形態】
図１乃至７図は、本発明の一実施例を示す各説明図である。なお、本発明の一実施例の説明にあたって、説明の便宜上、前述した従来例と同一又は同様の部分については、同一の用語や同様の符号を用い、重複的な説明は割愛する。
Ｘ１はキースイッチ２Ａを有するスイッチ本体１Ａ（以下、「スイッチ取付け板」という）と、このスイッチ取付け板１Ａの前壁或いは一端面に固定された前方収納ケース９内に後端部が固定的に添設されるシリンダー錠１０Ａとを備えたキースイッチ装置である。
【００１７】
前記スイッチ取付け板１Ａは金属板で枠状（例えば端面チャンネル形状）に形成され、その底壁或いは背面はリード線３Ａ用に開口している。スイッチ取付け板１Ａの形態については特に問わないが、例えば上壁１ａ、左右の対向側壁１ｂを有する。
【００１８】
前記前方収納ケース（部）９は、前方が開口３０し、その収納部３１内には、従動部材４Ａを始めとし、後述する回転係合板５０、回転係合板用案内部材３５などが設けられている。
【００１９】
まず前方収納ケース９の形態に符号を付す。前方収納ケース９は、上面開口３０の底の浅い四角型ケースを縦にした状態でスイッチ取付け板１Ａの一端面に適宜に固定された格好となっている。したがって、いわば底壁に相当する垂直支持板部９ａと、この垂直支持板部９ａに直交方向に連設する囲い部分の左右上下の側壁９ｂとを有する。その他、本実施例では上下の側壁９ｂにそれぞれ直交方向に連設する耳状の垂直取付け壁９ｃ，９ｃを有している。
【００２０】
しかして、前記上下の垂直取付け壁９ｃ，９ｃの両端部には、貫通状態のネジ孔３２が合計４個形成されている。また上方の垂直取付け壁９ｃの略中央部には位置決め用嵌合小孔３３が形成されている。
【００２１】
また前記垂直支持板部９ａの中央部には、従来例と同一の凹所５Ａや係合溝６Ａを有する円盤状の従動部材４Ａが回転可能に配設されている。なお、この従動部材４Ａが回転すると、キースイッチ２Ａは作動板やアクチュエータを介してＯＮ・ＯＦＦする点は従来例と同一である。
【００２２】
また垂直支持板部９ａの従動部材４Ａの同心円上に位置する右上下隅と左下隅には、合計３個の水平支持ピン３４が固定され、しかも、これらの水平支持ピン３４には、回転係合板用ガイドローラ３５が回転自在かつ貫通状態に嵌着されている。
【００２３】
また従動部材４Ａの同心円上に位置する前記ガイドローラ３５の内側には、回転係合板用短支持棒３６が所定間隔を有して複数個（本実施例では３個）配設されている。
【００２４】
さらに、垂直支持板部９ａの右上下隅の水平支持ピン３４，３４間には、回転係合板用水平係合ピン３７が植設されている。加えて、垂直支持板部９ａの左上隅には、操作杆４０の内端部に固定的に設けた小駆動歯車４１が配設されている。
【００２５】
次に本発明の主な部材（操作杆４０と回転係合板５０）について説明する。操作杆４０は、図　で示すようにスイッチ取付け板１Ａの一側壁１ｂの外側に水平状態に設けられた棒状体である。操作杆４０は、その後端部に工具用の係合溝部分４２を有し、先端部寄りの部位は前方収納ケース９の垂直支持板部９ａの左上隅に貫通状態に支持されている。そして、その内端部には前述した小さな駆動歯車４１が設けられている。
【００２６】
操作杆４０を介して回転する回転係合板５０は、リング状に形成され、その外周壁の周方向の一部分には、操作杆４０の小駆動歯車と噛合う係合歯５１が形成されている。また内周壁の適宜部位には、シリンダー錠１０Ａの後端部の係合突起４３が通り抜けるシリンダー錠用逃し用切欠部５２，５２が対称的に形成されている。これらの切欠部５２，５２は、シリンダー錠の後端部が貫通状態に嵌挿する円形孔５３に連通している。また回転係合板５０の壁面には、一つの切欠部５２寄りの部位からは周方向に所要の長さの弧状案内長孔５４が形成されている。この弧状案内長孔５４には前述した係合ピン３７が係合する。
【００２７】
しかして、リング状回転係合板５０は、図　で示すように、三個のガイドローラ３５の外周壁及び係合ピン３７にそれぞれ案内されるように短支持棒３６の突出端面に摺動自在に支持され、かつ、操作杆４０の小駆動歯車４１に噛合うように前方収納ケース９の収納部３１に収納される。
【００２８】
次にシリンダー錠用嵌合支持部材６０について説明する。この嵌合支持部材６０は、複数個の固着具８Ａを介して前方収納ケース９に固定される。嵌合支持部材６０は、いわば従来例のシリンダー錠１０の取付け基板１２並びにシリンダー錠本体１１の外筒体１５の一部に相当する機能を有している。
【００２９】
すなわち、１２Ａは前記固着具８Ａを介して前方収納ケース９の垂直取付け壁壁９ｃに固定される取付け基板で、この取付け基板１２Ａの一部切欠状の四隅には、固着具８Ａ用貫通小孔１７Ａが形成されている。しかしながら、この取付け基板１２Ａは従来例のそれと相違し、背面の上中央部には前方収納ケース９の嵌合小孔３３に嵌合する突起ピン６１を有している。
【００３０】
また中央部にはシリンダー錠１０Ａの後端部が嵌合する貫通状態の嵌合孔６２が形成されている。この嵌合孔６２の内径は、シリンダー錠１０Ａの無ネジ部外筒体１５Ａの外径寸法を考慮してスライド嵌合するように設定されている。
【００３１】
また取付け基板１２Ａは嵌合孔６２に対して半径方向にやや幅広に連通する逃し部６３を有している。この逃し部６３は、本実施例ではシリンダー錠１０Ａの外筒体１５Ａの後端部に突設した円弧状係合突起４３，４３が対称的な突起物であることから、これらに対応して左右或いは上下対称に形成されている。
【００３２】
シリンダー錠用嵌合支持部材６０の嵌合孔６２は回転係合板５０の円形孔に対応し、またその対称的な逃し部６３は回転係合板５０の逃し切欠部５２と対向可能である。
【００３３】
また６４は取付け基板１２Ａの前面から対向状態に突出する２枚の分離的円弧状支持部で、これらの円弧状支持部６４，６４には、前述したシリンダー錠１０Ａの係合突起４３，４３が摺り抜ける左右或いは上下一対の案内間隙６７，６７を設けてある。円弧状支持部６４，６４は取付け基板１２Ａの前面に一体成形されている。また２枚の円弧状支持部の外周壁には、調整リング１８Ａが螺合するオネジ部１６Ａがそれぞれ形成されている。
【００３４】
しかして、円弧状支持部６４，６４で囲まれた内部空間６８は、シリンダー錠１０Ａが嵌挿される部分であることから、内部空間６８と取付け基板１２Ａの嵌合孔６２とは互いに連通している。本実施例の内部空間６８の入口部分は、シリンダー錠１０Ａの外筒体１５Ａの先端部に周設された嵌合部４４が入り込むことができるようにやや大きめに設定されている。
【００３５】
最後にシリンダー錠１０Ａは、非常にシンプルな形態であり、前述した嵌合部４４を有する無ネジ部外筒体１５Ａと、この外筒体１５Ａの内部に内筒部材を介して設けられた鍵孔１３Ａを有するロータ１４Ａと、このロータ１４Ａの後端面に固定的に設けられ、かつ、スイッチ取付け板１Ａ側の従動体４Ａの係合溝６Ａと係合する係合片４５とから成り、前記外筒体１５Ａの後端部には、対称的に係合突起４３，４３が設けられている。
【００３６】
上記構成に於いて、キースイッチ装置Ｘ１は、従来例のようにマンションの共用玄関の自動ドア、エレベータの昇降動を管理する共用電子機器の管理ドア、警報装置の開閉扉など取付け対象板２３に調整リング１８Ａなどを介して固定的に取り付けられている。この場合スイッチ取付け板１Ａには、前方収納ケース（部）９や複数個の固着具８Ａを介してシリンダー錠用嵌合支持部材６０が固着されている。そして、前方収納ケース９の収納部３１には、前述したように回転係合板５０がシリンダー錠に対して操作杆の操作により係合方向又は係合解消方向へ回転できるように組み込まれている。
【００３７】
しかして、シリンダー錠１０Ａは、その後端部の係合突起４３，４３が回転係合板５０の逃し切欠部５２，５２を通過して該回転係合板５０の係止壁面５０ａと係合可能な状態になる所まで嵌合支持部材６０に挿嵌されている。このような嵌挿状態に於いて、操作杆４０を指などで回転すると、回転係合板５０は小駆動歯車４１の駆動力により回転する。この時回転係合板５０は、図　で示すように複数個のガイドローラ３５や水平係合ピン３７に確実に案内される。本実施例では、回転係合板５０はシリンダー錠１０Ａに対する一種の可動障害子であることから、一方向に回転すると、その係止壁面５０ａがシリンダー錠１０Ａの係合突起４３，４３の内壁面に対して面接触状態となる。これによりシリンダー錠１０Ａは回転係合板５０に係止される。したがって、シリンダー錠１０Ａを引抜くことができない。
【００３８】
そこで、今仮にシリンダー錠１０Ａを交換しようとする場合には、まず取付け対象板（扉，パネル，ガラスなど）２３を開く。取付け対象板を開くと、キースイッチ装置Ｘ１のスイッチ取付け板１Ａの側壁１ｂ並びに操作杆４０が見えるので、該操作杆４０を、反時計方向か又は時計方向のいずれかに回転する。そうすると、回転係合板５０は係合解消の方向へと回転する。その結果、シリンダー錠１０Ａの係合突起４３に回転係合板５０の逃し切欠部５２が向き合うので、その位置でシリンダー錠を引抜く。シリンダー錠１０Ａを嵌合支持部材６０から引抜く時、シリンダー錠１０Ａの係合突起４３，４３は嵌合支持部材６０の案内隙間４７，４７を摺り抜ける。
【００３９】
これに対し、新しいシリンダー錠を嵌合支持部材６０に固定的に装着する場合には、前述の態様とは逆である。まずシリンダー錠１０Ａの係合突起４３，４３を嵌合支持部材６０の案内隙間４７，４７に合わせ、そのまま外筒体１５Ａを回転係合板５０に対して完全な嵌挿状態になるの所まで押し込む。この時所定の鍵Ｋをロータ１４Ａの鍵孔１３Ａに差し込むと、ロータ１４Ａは回転可能であるから、その点も考慮して係合片４５がスイッチ取付け板１Ａ側の従動体４Ａの係合溝６Ａに係合する位置まで新しいシリンダー錠を押し込むようにする。
【００４０】
このようにしてシリンダー錠の係合片４５がスイッチ取付け板１Ａ側の従動体４Ａに係合すると、シリンダー錠の係合突起４３は回転係合板５０の背面側に位置していることから、操作杆４０を回すと、前述したようにシリンダー錠１０Ａは回転係合板５０に抜けないように阻止（係止）される。これにより新しいシリンダー錠は、複雑な手順を経ることなく、回転係合板５０に係止され、かつ、スイッチ取付け板１Ａに対して嵌合支持部材６０を介して添設状態に支持される。
【００４１】
【実施例】
本発明の実施例に於いて、スイッチ取付け板１には従来のように前壁１ｃを設けても、又は設けなくても良い。またスイッチ取付け板１Ａは前方収納ケース９と別体であるが、スイッチ取付け板１Ａそのものに前方収納ケース部９を一体成形しても良い。また操作杆４０をスイッチ取付け板１Ａに直接又は他の部材を介して間接的に設けても良く、該操作杆４０の形態等は任意に設計変更可能である。
【００４２】
【発明の効果】
以上の説明から明らかなように、本発明にあっては、調整ナット，シリンダー錠用嵌合支持部材などを取り外さなくても、取付け対象板の内側から操作杆を操作するだけで、操作杆の駆動歯車の駆動力により回転係合板が係合解消方向に回転するから、シリンダー錠をそのまま簡単に取り外すことができる反面、スイッチ取付け板にシリンダー錠を添設状態に係止させる場合には、シリンダー錠用嵌合支持部材にシリンダー錠をそのまま差込み、かつ、操作杆を操作すると、回転係合板は同様に操作杆の駆動歯車の駆動力により係合方向に回転するから、簡単な操作によりシリンダー錠を脱着することができる。また前方収納ケース（部）内には案内部材や短支持棒が設けられているから、スムースに回転する回転する。また回転係合板が複数本の短支持棒に支持されて摺動回転するので、安定的に回転する。
【図面の簡単な説明】
図１乃至図６は本発明の一実施例を示す各概略説明図。図７及び図８は従来例を示す各説明図。
【図１】本発明の分解斜視図。
【図２】スイッチ取付け板の前方収納ケース（部）に嵌合支持部材を固定した斜視図。
【図３】シリンダー錠を交換する場合の概略説明図。
【図４】嵌合支持部材の概略縦断面図。
【図５】操作杆の説明図。
【図６】嵌合支持部材を前方収納ケース（部）から外した状態に於いて、シリンダー錠の係止関係を正面側から示す概略説明図。
【図７】シリンダー錠の係合関係を背面側から示す概略説明図。
【図８】従来例の一例を示す分解斜視図。
【図９】従来例の主要部を示す説明図（シリンダー錠をスイッチ取付け板から外した斜視図）。
【符号の説明】
Ｘ１…キースイッチ装置、Ｋ…鍵、１Ａ…スイッチ取付け板、１ａ…上壁、１ｂ…側壁、２Ａ…キースイッチ、３Ａ…リード線、４Ａ…従動部材、５Ａ…凹所、６Ａ…係合溝、８Ａ…固着具、９…前方収納ケース、９ａ…垂直支持板部、９ｂ…左右上下の側壁、９ｃ…垂直取付け板、３０…開口、３１…収納部、３２…ネジ孔、３３…嵌合小孔、３４…水平支持ピン、３５…ガイドロラ、３６…短支持棒、３７…水平係合ピン、１０Ａ…シリンダー錠、４３…係合突起、４４…嵌合部、４５…係合片、１２Ａ…取付け基板、１３Ａ…鍵孔、１４Ａ…ロータ、１５Ａ…外筒体、１６Ａ…オネジ部、１７Ａ…貫通小孔、１８Ａ…調整ナット、２３…取付け対象板、４０…操作杆、４１…駆動歯車、４２…係合溝部分、５０…回転係合板、５１…係合歯、５２…逃し切欠部、５３…円形孔、５３…弧状案内長孔、６０…嵌合支持部材、６１…突起ピン、６２…嵌合孔、６３…逃し部、６４…弧状支持部、６７…案内間隙、６８…内部空間。
【図１】
2004071204.tif 000003
【図２】
2004071204.tif 000004
【図３】
2004071204.tif 000005
【図４】
2004071204.tif 000006
【図５】
2004071204.tif 000007
【図６】
2004071204.tif 000008
【図７】
2004071204.tif 000009
【図８】
2004071204.tif 000010
【図９】
2004071204.tif 000011